(57)【要約】【課題】異なる寸法形状の便器を一組の緩衝固定材にて兼用梱包し、安全に輸送する。【解決手段】底受板を順次折り曲げ重ね合わせることで積層段ボールを挿入する開口部が形成さる下面緩衝固定材と各辺の凹部に振止板が繋がった上面緩衝固定材のこれら一組の緩衝固定材を便器の上下に挟むように配置し、PPバンドを十の字に掛けることで上面緩衝材の折線部が便器の形状に対応した位置で折れ曲がり振止板が便器の移動を固定することにより安全に輸送することができる。【選択図】図１
2004196379.tif 000002
【特許請求の範囲】
【請求項１】
便器上面への衝撃を緩衝する上面緩衝固定材と便器底面への衝撃を緩衝する下面緩衝固定材とからなり、前記上面緩衝固定材は、上面受板の各辺凹部から前振止板、後振止板、左振止板、右振止板が繋がってなり、前記下面緩衝固定材は、底板の両対に繋がった底受板を順次折り曲げることで重なり合うロック部の凸ロックを内側に折り込むことにより形成する便器の兼用緩衝固定材。
【請求項２】
前記下面緩衝固定材の底受板に設けられた開口と底板に設けられた開口が重なり合うことで積層ダンボールを挿入する開口部が形成され、この開口部に積層段ボールを挿入することで物品底面の緩衝性が向上することを特徴とする請求項１に記載の便器の兼用緩衝固定材。
【請求項３】
前記底板から繋がった底左右振止板を順次内側に折り曲げ、重なり合うロック部の凸ロックをロックすることにより、便器の左右方向への衝撃を緩衝する振止を形成し、前記底板の前後から繋がった底前後振止板により便器の前後への衝撃を緩衝する振れ止めを形成することを特徴とする請求項１又は２に記載の便器兼用緩衝固定材。
【請求項４】
前記上面緩衝固定材の前後左右の振止板により、便器の寸法形状が変更してもPPバンドを巻き締めることで便器の形状に対応した位置の振止板が折れ曲がることにより、便器の前後左右の移動を固定できることを特徴とする請求項１乃至３に記載の便器兼用緩衝固定材。
【発明の詳細な説明】
【０００１】
【発明が属する技術分野】この発明は、破損しやすい陶器製便器などの重量物を梱包する際に使用するダンボール製緩衝固定材に関するものである。
【０００２】
【従来の技術】従来、便器などの破損しやすい物品を梱包する場合、便器上面と底面に段ボールの当板を上下から挟み、PPバンドで巻き締めることで物品の移動を固定し、梱包している。（例えば、特許文献１）また、前記緩衝固定材は物品底面の緩衝性が低いため物品が破損する場合があるので、段ボールの仕切構造にて物品底面の緩衝性を向上しているものもある。（例えば、特許文献２）
【０００３】
【特許文献１】特開平０８−１７５５９０号公報
【特許文献２】特開平０８−１１９２５４号公報
【０００４】
【発明が解決しようとする課題】便器には数種類の寸法形状があり、従来のような緩衝固定材を用いると、それぞれ物品の形状に対応した多数の緩衝固定材が必要になり、在庫管理に手間がかかるほか、抜き加工するための抜き型も多数必要となり、コストがかかる。このため、数種類の便器を一組の緩衝固定材にて梱包でき且つ、安全に輸送できる緩衝固定材が求められている。
【０００５】
【課題を解決するための手段】上記課題を解決するため、この発明は、底板に両対繋がった底受板を順次折り曲げ重ね合わせることで、底面の緩衝受板を形成し、その底面部に開口部を設け、これら開口部に積層段ボールをはめ込むことにより形成される下面緩衝固定材と上面受板の各辺に形成した凹部に繋がった各振止板を設けた上面緩衝固定材との構成からなる。これらの緩衝固定材を物品に上下挟むように配置し、PPバンドを十の字に掛けることにより上面緩衝材の折線部が物品に対応した位置で折れ曲がり、物品の移動を固定することができるのである。さらに、この状態で上下ケースを被せ、PPバンドを掛けることにより、上下左右共に完全に固定することができる。この緩衝固定材の構造により、物品の寸法形状が異なっても、一種類の緩衝固定材を使用することにより梱包できる。
【０００６】この緩衝固定材では、底板と底受板に形成された開口に積層段ボールをはめ込むことにより、底受板の緩衝性を増すことができ、安全に輸送することができる。
【０００７】
【発明の実施の形態】図１は、この発明に係る段ボール製緩衝固定材の展開図であり、上面緩衝固定材１と下面緩衝固定材２０の構成で緩衝固定材が形成される。
【０００８】上面緩衝固定材１は、上面受板１０の各辺に形成した凹部に繋がった前振止板２、３、４と後振止板５，６、右振止板７A、８A、９Aと左振止板７B、８B、９Bが設けられている。
【０００９】下面緩衝固定材２０は、底板２１の外縁にそれぞれ底受板２３Ａ、２３Ｂと底振止板３９A、３９Bが連結され、底受板２３Ａ、２３Ｂに繋がって底受板２２A、２２Bが設けられている。
【００１０】この底板２１には、段ボールを貼り合わせた積層段ボール５０を挿入する開口２８A、２８B、２９A、２９B、が設けられており、両端縁には凸ロック２５A、２５Bが設けられている。
【００１１】底受板２２A、２２Bの両端縁には、底振止板２７A、２７Bが設けられており、中央部には積層段ボール５０を挿入するための開口３５A、３５Bが設けられている。
【００１２】この開口３５A、３５Bには凸ロック３７A、３７Bが繋がって形成されている。
【００１３】底受板２３A、２３B各両板に挟まれて、底板２１から繋がった底左右振止２４A、２４Bが設けられている。
【００１４】この底左右振止板２４A、２４Bには、凹ロック３６A、３６Bが設けられている。
【００１５】このような展開図からなる下面緩衝固定材２０を図２に示すように、底受板２２A、２２Bと底受板２３A、２３Bの連結部を折り曲げ重ね合わせる。
【００１６】次いで、上記の状態のまま図３に示すように、底板２１A、２１Bと底受板２３A、２３Bの連結部を折り曲げ、重ね合わせると凹ロック部２６A、２６Bと凸ロック部２５A、２５Bが重なり合うので、折線部４０を内側に折り曲げることにより底板と底受板の跳ね上がりを固定できる。
【００１７】また、上記のように折り曲げると図３のように、底板２１から繋がった底左右振止２４Ａ、２４Ｂが突起する。
【００１８】そして、図３のように突起した底左右振止２４Ａ、２４Bを、図４のように折線部３４A、３４B、３３A、３３B、３２A、３２B、３１A、３１Bを順次折り曲げて、四角柱を形成する。
【００１９】上記のように四角柱を形成すると、図４のように凹ロック３６A、３６Bと凸ロック３７A、３７Bが重なり合うので、図５のように凸ロック３７A、３７Bを折線部３８A、３８Bから折り曲げ、凹ロック３６A、３６Bに挿入すると、形成した四角柱の跳ね上がりを固定できる。
【００２０】このとき、開口２８A、３５A、２８B、３５Bが重なり合って形成された四角い空間があるために、凸ロック３７A、３７Bに指を掛けやすい構造になる。
【００２１】そして、図5に示すような状態に下面緩衝固定材２０が形成されたら、次いで、図６のように、重なり合った底振止板２７A、３９A、２７B、３９Bを内側に折り曲げながら下面緩衝固定材２０を下ケース４２に挿入する。
【００２２】次に、底板２０に設けられた開口２８A、２９B、２８B、２９Bと底受板２２に設けられた開口３０A、３５A、３０B、３５Bとが重なり合うことで形成される開口部４３A、４４A、４３B、４４Bに図７のように、積層段ボール５０を挿入する。
【００２３】この積層段ボール５０は、底板２１と底受板２２を重ね合わせた厚さに等しく、底受板の緩衝性を補助する役割を果たす。
【００２４】前記のように下面緩衝固定材２０を挿入した下ケース４２に物品Gを図８のように載せる。
【００２５】次に図９のように上面緩衝固定材１を物品Gの上に載せる。
【００２６】そして、図１０に示すように、PPバンドを十の字に掛けると、物品Gの形状に対応した位置の折線部が折り曲がり、前振止板、後振止板、右振止板、左振止板が形成され、物品Gの前後左右の移動を固定することができ且つ、上面受板１０により、物品上面を保護することができる。
【００２７】最後に図１０の状態になった上から、上側ケース４５を被せ、井の字にPPバンドを掛けると物品Gは上下左右ともに完全に固定され、安全に輸送することができる。
【００２８】なお、下面緩衝固定材２０の積層段ボールを挿入する開口２８、２９、３０、３５位置は、兼用する物品Gの形状にもっとも適した位置に開けることが好ましく、上面緩衝固定材１の前振止板２、３、４、後振止板５、６、右振止板７A、８A、９A、左振止板７B、８B、９Bの各板の寸法、折線部の数量なども兼用する物品Gの寸法形状に適した位置により決定することが好ましい。
【００２９】
【発明の効果】以上のように、この発明の緩衝固定材は、一組の緩衝固定材で数種類の寸法形状の異なる便器を兼用梱包できる。
【００３０】また、緩衝性に優れていることから、物品が破損しやすい陶器製であっても安全に輸送することができる。
【００３１】素材に段ボールを使用することによりリサイクルすることができ、焼却することも容易である。
【図面の簡単な説明】
【図１】緩衝固定材の展開図である。
【図２】底受板を折り曲げて重ねた状態の斜視構成図である。
【図３】底受板と底板を折り曲げ重ねた状態の斜視構成図である。
【図４】底左右振止を折り曲げた状態の斜視構成図である。
【図５】下面緩衝固定材の凸ロックをした状態の斜視構成図である。
【図６】下面緩衝固定材を下ケースに入れた状態の斜視構成図である。
【図７】下面緩衝固定材に積層段ボールを入れる状態の斜視構成図である。
【図８】下面緩衝固定材の上に物品を載せた状態の斜視構成図である。
【図９】物品の上面に上面緩衝固定材を載せた状態の斜視構成図である。
【図１０】PPバンドを十字掛けした状態の斜視構成図である。
【図１１】上ケースを被せた状態の斜視構成図である。
【図１２】PPバンドを井の字に掛けた状態の斜視構成図である。
【符号の説明】
１  上面緩衝固定材
２，３，４  前振止板
５，６  後振止板
７A，８A，９A  右振止板
７B，８B，９B  左振止板
１０  上面受板
２０  下面緩衝固定材
２１  底板
２２Ａ、２３Ａ、２２Ｂ、２３Ｂ  底受板
２４Ａ、２４Ｂ  底左右振止
２５A、２５B  凸ロック
２６A、２６B  凹ロック
２７Ａ、２７Ｂ  底前後振止板
２８Ａ、２８Ｂ、２９Ｂ、２９Ｂ、３０Ａ、３０Ｂ、３５Ａ、３５Ｂ  開口
３６Ａ、３６Ｂ  凹ロック
３７Ａ、３７Ｂ  凸ロック
３８A、３８B、４０  折れ線
３９Ａ、３９Ｂ  底前後振止板
４２  下ケース
４３A、４３B  開口部
４４A、４４B  開口部
４５  上ケース
５０  積層段ボール
５１、５２、５３、５４  PPバンド
G  物品
【図１】
2004196379.tif 000003
【図２】
2004196379.tif 000004
【図３】
2004196379.tif 000005
【図４】
2004196379.tif 000006
【図５】
2004196379.tif 000007
【図６】
2004196379.tif 000008
【図７】
2004196379.tif 000009
【図８】
2004196379.tif 000010
【図９】
2004196379.tif 000011
【図１０】
2004196379.tif 000012
【図１１】
2004196379.tif 000013
【図１２】
2004196379.tif 000014